(57)【要約】  電気切断装置の刀筐体は、先端部を有する外部筐体と、前記内部筐体に連結され、また複数の分離した設定ポイントで、前記筐体に対して長手方向に選択的に調整可能な内部筐体と、前記内部筐体に連結され、鋭い先端部を有する刀と、を備え、前記外部筐体に対する前記内部筐体の調整で、前記内部筐体の先端から突き出る刀の量を調整する。
2009501640.tif 000002
【特許請求の範囲】
【請求項１】
先端部を有する外部筐体と、
前記内部筐体に連結され、また複数の分離した設定ポイントで、前記筐体に対して長手方向に選択的に調整可能な内部筐体と、
前記内部筐体に連結され、鋭い先端部を有する刀と、を備え、
前記外部筐体に対する前記内部筐体の調整で、前記内部筐体の先端から突き出る刀の量を調整する
刀筐体。
【請求項２】
前記内部筐体は、隣接端部において調整ノブを備える
請求項１記載の刀筐体。
【請求項３】
前記内部筐体は、複数の機械戻り止めを備え、
さらに、前記外部筐体に連結した偏ったベアリングを備え、
前記ベアリングは、前記外部筐体に対して前記内部筐体を回転することによって前記複数の機械戻り止めに、選択的にかみ合わされる
請求項１記載の刀筐体。
【請求項４】
前記内部筐体及び前記外部筐体は、ねじ山でかみ合わされる
請求項３記載の刀筐体。
【請求項５】
前記刀は、長さ方向で円筒形状であり、
さらに、円錐の隣接端を含み、前記内部筐体に回転可能に連結される
請求項１記載の刀筐体。
【請求項６】
さらに、前記内部筐体内で前記刀を取り外し可能に保持するために前記内部筐体に連結された磁石を含む
請求項５記載の刀筐体。
【請求項７】
さらに、
前記内部筐体の隣接端部の方に偏らせ、連結されるプランジャを備え、
前記内部筐体の先端部に向かう前記プランジャの作動によって、前記刀が前記外部筐体の前記先端端から突き出る
請求項１記載の刀筐体。
【請求項８】
さらに、前記外部の刀筐体の前記先端部と同一平面上に前記刀の先端部を設置するための前記内部筐体に対する前記プランジャの位置を設定するための前記内部筐体にねじ山で掛け合わされる工場調整部材を備える
請求項７記載の刀筐体。
【請求項９】
前記外部筐体の前記先端部は、前記刀の前記先端の周囲の実質的な平面表面の範囲を定める
請求項１記載の刀筐体。
【請求項１０】
前記外部筐体の前記先端部は、前記実質的に平面の表面の周りの放射状エッジを含む
請求項９記載の刀筐体。
【請求項１１】
第一端部、第二端部及び長手方向に延長する内径を有する筐体と、
前記筐体に回転可能に連結される先端の鋭い端部を有し、少なくとも前記先端部の鋭い端部が前記筐体の前記第二端部から突き出るように、少なくとも一部が前記長手方向に延長する内径内に配置されている円筒形状の刀を備え、
前記筐体の前記第二端部は、前記刀の前記先端の鋭い端部の少なくとも一部分の周囲の相対的な平面表面の範囲を定める
刀保持装置。
【請求項１２】
前記筐体は、内部筐体及び外部筐体から成る
請求項１１記載の刀保持装置。
【請求項１３】
前記内部筐体は、前記外部筐体に連結され、及び外部筐体に対して長手方向に選択的に調整可能である
請求項１２記載の刀保持装置。
【請求項１４】
前記刀は、前記内部筐体に回転可能に連結される
請求項１３記載の刀保持装置。
【請求項１５】
前記内部筐体は、前記内部筐体の先端部から突き出る刀の量を調整するため複数の個々の設定ポイントで、前記外部筐体に対して調整可能である
請求項１３記載の刀保持装置。
【請求項１６】
前記内部筐体は、隣接端部において調整ノブを備える
請求項１２記載の刀保持装置。
【請求項１７】
前記内部筐体は、複数の機械戻り止めを備え、
さらに、前記外部筐体に連結した偏ったベアリングを備え、
前記ベアリングは、前記外部筐体に対する前記内部筐体を回転することによって前記複数の機械戻り止めに、選択的にかみ合わされる
請求項１５記載の刀保持装置。
【請求項１８】
前記内部筐体及び前記外部筐体は、ねじ山でかみ合わされる
請求項１７記載の刀保持装置。
【請求項１９】
前記刀は、円錐の先端部を備える
請求項１３記載の刀保持装置。
【請求項２０】
さらに、前記刀を回転可能に保持するために前記筐体に連結される磁石を備える
請求項１３記載の刀保持装置。
【請求項２１】
さらに、
前記内部筐体の隣接端部の方に偏らせ、連結されるプランジャを備え、
前記内部筐体の先端部に向かう前記プランジャの作動によって、前記刀が前記外部筐体の前記先端端から突き出る
請求項１１記載の刀保持装置。
【請求項２２】
さらに、前記外部の刀筐体の前記先端部と同一平面上に前記刀の先端部を設置するための前記内部筐体に対する前記プランジャの位置を設定するための前記内部筐体にねじ山で掛け合わされる工場調整部材を備える
請求項２１記載の刀保持装置。
【請求項２３】
前記外部筐体の前記先端部は、前記実質的に平面の表面の周りの放射状エッジを含む
請求項１１記載の刀保持装置。
【発明の詳細な説明】
【技術分野】
【０００１】
本発明は、一般的に電気切断装置に関連し、特に、パソコンのような他の周辺装置に接続する必要がない独立型装置としての操作可能な電気切断装置に関する。
【背景技術】
【０００２】
スクラップブック作りは国民的現象となっており、様々な新たな製品がスクラップブックページを装飾し、製作することを目標として紹介されている。重要な商業的成功をしている１つの製品は、様々なダイス切断装置の導入である。
【０００３】
典型的に、ダイス切断装置は、特別の構成の切断用の刀を有する１以上のダイスを使用し、紙シートまたはシート形状の他の素材に対してダイスをしっかりと押し当てて当該ダイスを用いて当該シートを所望の形に切断する。これらのシステムは、典型的には手動操作である。
【０００４】
材料を板形状に切断する別のシステムは、電気ビニルカッターである。電気ビニルカッターは、形状、また例えばバナーなど比較的に安価な標識を作成するためシートから剥離でき、他の材料にも適用できる裏面に粘着性のあるビニルシートにひと続きの形状を切り出すように構成される。これらの電気ビニルカッターは、相対的に高価であり、電気カッターを操作するためにコンピュータや、コンピュータソフトウェアに接続する必要性がある。
【０００５】
電気ビニル切断装置は、芸術や特殊技術の産業において、紙材料を切断するために使用されている。しかしながら、装置は、カッターの動作を制御するためにソフトウェアを動かしている外部コンピュータに接続されなければならない。
【０００６】
加えて、装置それ自体は、一般的に装置を単純に操作できる手順で構成されていない。そのため、紙や、また独立的にパソコンや他の外部装置との操作を容易にし、また操作できるシート形状の他の材料を切断するため特に構成される電気切断装置を必要とする。
【発明の開示】
【０００７】
本発明に係る電気切断装置は、材料のシートを切断する切断部分と、前記シートの動作を制御するドライブローラと、前記切断部分及び前記ドライブローラの動作を制御するための電気機器とから成る。電気切断装置は、「Ｘ方向」に切断部分を、「Ｙ方向」にシートを動かすことにより操作する。
【０００８】
すなわち、切断要素がシートに対して置かれている時に、制御された切断は、前後方向に切断要素を動かすことによって作られる一方、シートは切断要素の動きに垂直に動かされる。これらの２つの動きをより正確に制御することによって、特定の形状がシートに切断される。
【０００９】
本発明に係る電気切断装置は、パソコンや他の外部装置に接続する必要がない、独立型の装置として操作するように構成される。電気切断装置の機能の全ては、電気切断装置に備わるユーザインタフェースを介してユーザによって制御される。
【００１０】
１つの実施の形態では、電気切断装置で切断される様々な形状が分離型のカートリッジにより提供される。ユーザが特定の画像を要求するときには、画像を保持するカートリッジが装置に挿入される。ユーザは、それからユーザインタフェース、例えばキーパッドを
用いて切断される形状を選択し、装置に画像の切断を指示する。
【００１１】
他の実施の形態では、切断される形状は装置のメモリに蓄積されている。そしてユーザは、ユーザインタフェースを、特定の形状や装置に蓄積される形状のライブラリから切断される一連の形状を選択するために使用する。
【００１２】
装置は容易にユーザによって操作される。１つの実施の形態では、装置は、装置のオンボタンが押された時に開く“貝殻式”のドアの組を含む。底部ドアは切断される紙の支持トレイを形成するが、上部ドアは開けられたときユーザインタフェースを露出する。
【００１３】
切断されるシートは、シートを取り外し可能に保持するために、そこに適用される粘着性を有するマット上に配置される。マットとシートは、装置に挿入され、刀保持部はユーザインタフェースを用いてマット上の選択位置上に動かされる。要求される形状が、切断のため選択され、装置は形状の切断を指示される。
【００１４】
１つの実施の形態では、切断される画像のサイズは、画像の要求される形状を選択することによって、また、要求されるサイズが表示されるまでサイズ用の輪を回転することにより、ユーザによって拡大縮小される。
【００１５】
本発明の１つの実施の形態においては、切断部分は、刀保持部と刀とから成る。刀保持部は、刀が自由に刀保持部内で旋回することができ、その結果、刀はそれ自身が作られる切断の方向に合わせる。
【００１６】
刀保持部は、刀筐体から伸びている刀の長さが、ユーザによって容易にまた正確に調整されることを許容する。さらに、刀筐体は、製造工程の間、筐体内に刀を正確にセットできるように構成され、そのため、各刀保持部／刀組み立て部が正確に構成されることを保障している。
【００１７】
前述の有利点や機能的な特徴は、後述の本発明のある実施の形態の説明から明らかになる。上記で述べた本発明の特徴や有利点は、また、追加的な特徴や有利点は、説明され、若しくは後述の詳細な説明や、請求の範囲でより充分に明らかになるだろう。
【００１８】
この発明の考えられる特徴である新たな特徴は、付属の請求の範囲で説明される。さらに、本発明の特徴や有利点は本発明の実施によって学ばれ、若しくは、ここで後に説明される詳細な説明から当業者において明らかとなる。
【００１９】
（発明の背景）
関連出願の相互参照
本出願は、２００５年６月１４日に出願された参照米国仮特許出願番号第６０／６９９，２１０号に優先権を主張し、これに基づくものである。
【発明を実施するための最良の形態】
【００２０】
図面を参照すると、図１は本発明に係り、大まかには１０で示される電気切断装置を示している。電気切断装置１０は、外部コンピュータに接続することなしに充分な機能を有する独立型の機械である。
【００２１】
切断装置１０の切断部品の全ては、大まかには１２で示された、切断装置１０の外部筐体内に納められている。
【００２２】
さらに、切断装置１０の切断部品を駆動するためのソフトウェアや電気機器の全ては外
部筐体内に納められ、また、取り外し可能な、そして／または切断成分によって切断されるダウンロード可能な画像、形状、フォント等を蓄積するためのメモリ蓄積装置もまた、外部筐体内に納められ、そのため、組み立て装置は、充分に運転可能及び独自保持するものである。
【００２３】
筐体には、持ち上げ及び運搬するため、切断装置１０の側面１５及び１６をつかむ箇所を提供する左側面及び右側面１５，１６上に凹部１４が形成されている。さらに、回転可能な輪やダイヤル１８，１９、及び２０が筐体１２から突き出ている。
【００２４】
輪１８，１９、及び２０は、切断される画像のサイズ、切断されるときの刀の圧力、切断速度等の切断装置１０のパラメータをユーザが変更するために回転可能となっている。
【００２５】
さらに詳細を説明すると、ここで、切断過程でのスピードや圧力は、切断される材料の種類に応じて調整でき、その結果、材料が裂けることを防止でき、また／若しくは刀が材料を完全に切断することを確保する。
【００２６】
ウインドウ２１，２３、及び２５は各ダイヤル１８，１９、及び２０にそれぞれ関連し、ダイヤル１８，１９、及び２０の機能に応じる特定の特徴を可視化している。例えば、ダイヤル２０は、切断される画像のサイズや形状を調整するために用いられる。
【００２７】
このように、ダイヤル２０の回転は、また、ウインドウ２５の奥にある（図示していない）シリンダを回転する。シリンダは、異なるサイズ(例えば, 1, 1 1/4, 1 1/2, 2, 2 1/2, 3, 3 1/2, 4, 4 1/2, 5 および 5 1/2)を用いて印刷される。もちろん、他の図的な
描写が、使用され、サイズの選択を表示する他の機能も用いることができる。
【００２８】
ダイヤル２０で特定のサイズに設定されると、切断装置１０は、自動的に切断される画像のサイズや形状を調整し、ユーザから切断の指示があるときに、およそ指示された（高さ）サイズの画像を切断する。他には、ダイヤル１８及び１９は、それぞれのウインドウ２１及び２３を介して、切断の圧力、スピードをユーザに示すため、印刷されるキャラクタを備えるシリンダに接続される。
【００２９】
各ダイヤル１８，１９，及び２０は、対応するパラメータを変更する切断装置のプロセッサに信号を送信するため、電位差計や、若しくは従来より知られている他の装置に接続される。
【００３０】
切断の速度に特定の参照に伴い、ダイヤルの１つの操作を介してのスピードの手動調節に加えて、切断装置自体が、切断されている、より厚い材料を示し、ユーザによって設定される圧力に応じた速度に自動的に調整するように設定される。
【００３１】
さらに、ユーザにより設定される与えられた切断の速度のため、装置は切断の湾曲に応じた切断の速度を調整するだろう。例えば、直線を切断しているときには、装置は材料を裂くことなく、材料を介して、より急速に動くことができる。
【００３２】
しかしながら、切断速度があまりに速いと、ピンと張った隅部で、材料は裂ける。そのように、より小さな半径の円弧を切断するときに材料が裂けるのを防止するために、装置は自動的に切断されている円弧の半径に応じてその速度を調整する。このため、切断する際に、装置は切断のスピードを“こっそりと”自動的に調整する。
【００３３】
上面部には、装置正面の右側には、電源若しくは切断装置１０の電源を入れるために使用されるオンボタン２２がある。このボタン２２は、二重の目的で使用される。第一には
、ユーザによって押圧される時に、装置の電源が入るスイッチである。第二に、ボタン２２は図示されている閉位置から開位置（図２参照）へのドア２４及び２６の作動を起こす。このため、ボタン２２が押されるとき、ドア２４及び２６が、ユーザインタフェース及び切断装置１０の切断組み立て部品を露出するために開かれる。
【００３４】
図２では、切断装置１０は、開位置を示しており、この開位置での大まかに３０で示されるユーザインタフェース、大まかに３２で示される切断組み立て部品が示される。上部のドア２４の裏面表面３４は、ＬＣＤディスプレイ等の可視表示部３５を備える。
【００３５】
例えば形状や切断のため選択される形状、形状のサイズ、特定の切断の進行状況、エラーメッセージ等の所定の関連性のあるデータは表示部３５に表示され、その結果、ユーザは、装置の操作の視覚的なフィードバックを取得できる。
【００３６】
底部のドア２６の裏面表面３７は、切断装置１０によって切断される材料やマットのための補助的受け部となり、その結果、材料やマット（図示せず）は切断されている時に実質的に水平方向を維持する。
【００３７】
さらに、カッターの内部の底部表面３８はまた、実質的に平面で切断される材料を支持するために、一般的に水平及び平面である。ビニル標識切断分野を紙切断分野に適合している、いくつかの従来技術の装置においては、装置は一般的に曲がったサポート表面部を保持している。
【００３８】
支持表面の湾曲は、一般的に切断される材料、すなわち、裏面が粘着性のビニル製品に、典型的には巻かれた形態で、適合して用いられる。
【００３９】
そのような構成は、例えば紙等の材料の切断シートに対して特に適したものではないため、湾曲は切断されている画像部分が平面表面から持ち上がる原因となり得る。その切断されている画像の部分とは、切断されている形の材料を損傷させる可能性のある隆起部分を刀、または刀保持部が引っかかる原因となるシートにより決められる。
【００４０】
このようにドア２６の内部表面部３７は、ドライブローラ３９に隣接した切断装置の土台３８若しくは内部の底部表面と実質的に同一平面上にある平面表面部分３７' を含んでいる。
【００４１】
さらに、内部表面部３７は、ドア２６が図１に示すような閉位置にあるときには、カートリッジ５０に適合する凹部４１を有する。
【００４２】
これにより、ドア２６内において適合するカートリッジ５０により切断装置１０の構成を、よりコンパクトにすることができる。このため、装置は、閉じられたドア２６の状態で、内部に配置されるカートリッジ５０と共に移動できる。
【００４３】
さらに図２Ａに示すように、底部のドア２６は、外部表面片２６'及び内部表面片２６"の２つの主な部分からなる。
【００４４】
この２つの部分２６' 及び ２６"は、穴部２７等の穴部に挿入され、また杭２９等の杭にねじ状に連結される複数のねじ部品（例えば、フィリップス頭部ネジ）で対とされる。
【００４５】
もちろん、技術分野で知られているほかの方法、例えば溶接、ボンディング、接着等の他の適した手段は、２つの部分２６' 及び ２６"を接合するために用いられる。上部ドア２４及び底部ドア２６の両方は、コイルバネ１７で開位置に偏らされる。
【００４６】
さらに、ドア２６の開きが制御するように、ドア２６は歯車１５及び１９で駆動されるギアである。歯車１５及び１９は、制御された割合でドア２６が開くようにする。
【００４７】
駆動可能に取り付けられた支持アームは、開状態でドア２６を支持するために歯車１５及び１９と反対側に取り付けられ、ドア２６が図２に示すように、開状態に回転するようにしている。
【００４８】
上述のように、ドア２６の内部部分２６"は、実質的に平面のマット支持表面３７及び
カートリッジの凹部４１を明確にする２種の外形を有している。
【００４９】
もちろん、凹部４１の形状は、ドア２６が図２に示されるカートリッジ５０の周囲に隣接する形状に調整される。
【００５０】
同時に、図２Ｂに示すように、上部ドア組み立て部品２４は、切断装置１０の外部表面の部分を形成する外部の骨組み部分２４'、及び表示部３５を収納する内部部分２４"から成る。
【００５１】
この例では、表示部は、内部部分２４"に形成されたウインドウ５１を介して可視でき
る液晶表示装置（ＬＣＤ）から成る。
【００５２】
透明なカバー５３は、ＬＣＤ３５のスクリーン５７を保護するために内部表面３４に形成された凹部５５内に装着されている。ＬＣＤ３５から切断装置１０のプロセッサに接続される電線（図示せず）は、電線を保護し、また隠すためアーム５９を介して延長されている。
【００５３】
底部のドア２６と同じように、上部ドア２４は、装置１０のオンボタン２２（図１参照）を押すことにより選択的に開かれるように構成されている。
【００５４】
オンボタン２２を押すことで、ラッチ６１を開放し、バネ６３がドアを開位置にすることを許容する。歯車６５及び６７はドア２４が制御されて、相対的にゆっくりとして開くようにしている。
【００５５】
さらに、部分２４' 及び２４"は、穴６９及びポスト７１を結び付けているねじ山状の
留め具（図示せず）で、ドア２４を形成するために一緒にしっかり留められる。
【００５６】
ドア２４は、装置１０の本体と駆動可能に連結され、文字通り延長している杭７３及び７５により回転して動く。
【００５７】
上述したように、図５Ａ及び図５Ｂに示すように、オン−オフ／オープンボタン集合部２２は、装置の電源をオン若しくはオフするためのスイッチ７０を駆動するのみでなく、ボタン２２´に連結される小さなラッチ７２を駆動する。
【００５８】
ボタン集合部２２は、半透明のレンズ７６を介してＬＥＤ７４で点灯するボタン２２´を含む。ラッチ７２は、ラッチの筐体部品７８及び８０とボタン２２に相対して、しっかりと留められる。ラッチ７２は、連結された位置にコイルバネ８２によって偏らされる。
【００５９】
ボタン２２が押下されると、ラッチ７２は同ラッチの構成部分である上部及び下部ドア組み立て部品と共に開放するために引き込まれ、以上により上部及び底部ドアが開かれる。
【００６０】
更に図３に示すように、ユーザインタフェース３０は、キーボード４０及び複数のボタン４２を含む。キーパッド４０及びボタン４２間で、ユーザは切断装置１０の操作を完全に制御できる。
【００６１】
このため、切断装置１０が選択された画像を切断するためのパソコンのような外部制御装置に切断装置１０を接続する必要はない。
【００６２】
図２に示すように、より詳細を説明すると、切断装置１０は、切断装置１０によって切断される様々な形状、例えばフォント、画像、言い回し等を蓄積するためにメモリ蓄積装置５０を有する。本実施例においては、メモリ蓄積装置５０は、可動かつ取り外し可能なカートリッジ内に備えられている。
【００６３】
カートリッジは、キーボード４０を使用して選択できる形状の組、若しくは特定のライブラリを提供できる。新たな形状の組が要求される時には、カートリッジ５０は、そのソケット５２から取り除かれ、要求される形状若しくは形状を有する別のカートリッジに置き換えられる。
【００６４】
カートリッジ５０の交換と組み合わせて、キーボード４０は、可動で、オーバーレイの対応する引き上げられたキーが押されたときに、キーボード４０のキーが押されるようにするタイプの材料、例えばシリコンゴムやＰＶＣや他のゴムのような柔軟性のある材料で形成された取替え可能なオーバーレイ４９を提供する。
【００６５】
オーバーレイは、キーボード４０のキーからの光がオーバーレイ４９を介して見えるように明るく、透明な若しくは半透明な材料から形成される。
【００６６】
特定のカートリッジに対応するオーバーレイを特定するためには、フォントまたは画像セットの特定の名称（個別のキャラクタ、言い回し、機能も含む）が、シルクスクリーン若しくは別の方法によって、オーバーレイ上、及び同じ名前が印刷されたカートリッジ上に印刷され、若しくはカートリッジに貼り付けられたラベル上に印刷される。
【００６７】
また、要求するなら、特にキーボードオーバーレイ４９の色とカートリッジ５０の色とを一緒にすることにより、ユーザは容易に、正確なカートリッジ５０／オーバーレイ４９の組み合わせでの使用を、容易に変更することができる。オーバーレイはどのような色若しくは材料から形成でき、オーバーレイは完全に透明ではない。
【００６８】
このため、上述した通り、特定のファンクションキー、例えばＣＡＰＳキー等が選択されたことをユーザに知らせるため、キー選択時にはキーを照らすためにＬＥＤがキーの下に配置されている。
【００６９】
そのようにして、少なくとも部分的に半透明な材料でオーバーレイ４９を形成することで、オーバーレイ４９を通してＬＥＤがユーザに可視となる。
【００７０】
このため、キーボードとオーバーレイ４９のキーの両方は、２つの半透明の材料から形成される。
【００７１】
図３に示すように、ユーザインタフェース３０は、５行１４列のキーの配列で設定されるキーボード４０の形で、複数の入力キーを含む。もちろん、多少のキーは、本発明の範囲、本発明から逸脱することなしに用いられる。
【００７２】
図４には、特定のキーボードオーバーレイ１４９が描画されている。キーボードオーバーレイは、大まかに１５２で示される複数の形状や画像補強キーを備え、大まかに１５４で示される複数の画像やフォントキーや、複数のカッター制御キー１５６を備えている。
【００７３】
画像及びフォントキー１５４のそれぞれは、特定のカートリッジで有効なフォント、キャラクタ及び画像の図形の代表を提供する。本実施例では、「ベースキャンプ」と名称付けられた一連のキャラクタのため、形状や２，３の予め設定されたフレーズが提供される。
【００７４】
画像補強キー１５２は、特定の選択された画像に実行される形を変形する様々なキャラクタを提供する。このため、例えば、文字「Ａ」１５８を押下及び選択する等、様々な調整や補強が補強キー１５２の１つ又は可能ならそれ以上を押下することにより、選択される。
【００７５】
補強キーは、様々な成分を文字に追加、例えば、長方形１６０、ドックタグ１６２、タグ１６３、飾り１６４によって文字を囲んだり、また、影１６５、又は影のブラックアウト１６６の形を追加することで文字「Ａ」を補強する。
【００７６】
さらに、様々な他のモード、例えば「ペーパーセーバ」、「リアルダイヤルサイズ」、「シフト」、又は「シフトロック」が選択される。
【００７７】
切断制御キー１５６は、ユーザが打ち込んだ文字の間にスペースを追加する機能や特定の文字列のタイプ中に最後に打ち込んだ文字を削除する「バックスペース」機能を含んでいる。
【００７８】
また、表示を消去、リセット、最後の文字の繰返し、装置の音のオン又はオフ、紙のサイズの設定、紙のロード若しくはアンロードのためのキーを備える。
【００７９】
これらの特徴の全て若しくは一部は、切断ボタン４４（図３参照）を囲んでいる方向キーを用いること、そしてＬＣＤ表示で視覚的にそのような形状を選択することによって選択されることも意図されている。
【００８０】
さらに、「ロードラスト」キー１６８を備える。ロードラストキー１６８は、いくつかの材料がマットから切断された後に、ユーザがマットを切断装置の中に再挿入することを許容する。
【００８１】
つまり、後述で詳細に説明するように、装置が特定の画像又は画像のセットを特定の紙／マットの組み合わせで切断するにつれて、マットが切断された形状を取り除くために取り除かれた後に、ユーザはそこに未だ装着されている残り紙を同じマットに再挿入するという選択肢を有している。
【００８２】
「ロードラスト」キーを押すことにより、切断装置は、既に切断されているマットのエリアを知るためのデータを蓄積していく。ユーザが切断される新たなキャラクタや形状を選択するとき、切断装置は自動的にまだ切断されていない紙のエリアに切断頭部を動かす。
【００８３】
さらに、切断装置は、特定の選択されたサイズの切断される特定のキャラクタや形状が残り紙に適合するかを認識できる。
【００８４】
もし、ユーザによって選択された文字や形状が、大きすぎ残り紙から切断できないなら
、切断装置は、視覚的又は警告音、例えばビープ音や画像が大きすぎるという表示部へのメッセージによってユーザに警告する。
【００８５】
オーバーレイ１４９の各キー１５２、１５４、１５６は、その中のキーボードキー中を受ける凹部を形成している各キー１５２、１５４、１５６の裏側表示（図示せず）と共にベース表面１７０上に隆起される。
【００８６】
そのようにして、切断装置のキーボード上に置かれるときには、オーバーレイ１４９は、自己整合し、その結果、適切なキー上に適切に配置される。
【００８７】
またオーバーレイ１４９の周縁部１７２は、オーバーレイが適切に配置され、またオーバーレイが下に敷かれるキーパッドに正しく位置合わせされるのを確実にするため、キーボード上に敷く。
【００８８】
再度図３を参照すると、原理的に複数のボタンは、切断組み立て部品の制御に対応する。すなわち、４つの矢印のボタン４２’，４２"，４２"’及び４２""は、マット（図示せず）上の特定の位置に切断組み立て部品３２を動かすために使用されることができる。
【００８９】
このように、ユーザは、切断される材料上の特定の位置に刀を動かすための４つの矢印のボタンを使用して刀の位置を選択的に制御することができる。
【００９０】
これは特に、もしユーザが、変な形状の紙シート若しくは選択された切断が特定の位置で要求される場所である紙シート上を切断しているならば、役立つものである。このため、ユーザが選択された切断が始まるシート上の位置を選択的に選択できる。
【００９１】
ひとたびユーザインタフェース３０で選択された画像が適切に配置され、また要求されると、「カット」ボタン４４を押すことで切断装置１０に選択された形状の切断を指示する。
【００９２】
もし必要なら、ユーザはカットボタンに隣接して配置されるストップボタン４６を押すことで、特定の切断中での切断過程は停止される。
【００９３】
図６を参照すると、図６は、本発明の原理に応じ、大まかに１００で示される切断組み立て部品である。カッターヘッドユニット１０２は、矢印Ｘで示されるように、切断装置１０に対してＸ方向で端から端に動く。
【００９４】
ヘッドユニット１０２の動きは、レール１０４に沿ってヘッドユニット１０２を動かすために、ヘッドユニット１０２に備えられるストッパーモータ（図示せず）によって制御される。要求される材料を切断するための刀（図示せず）を保持する刀保持部１０６がヘッドユニットに連結される。
【００９５】
刀保持部は、第二の固定された留め具部品１１２に駆動可能に連結される第一の駆動可能な留め具部品１１０からなる開放可能な留め具機構１０８のヘッドユニット１０２に取り外し可能に連結される。２つはねじ部品１１４で一緒に開放可能にされている。
【００９６】
この留め具機構１０８は、垂直方向に隣接して刀保持部と連動することによって、相対する刀保持部１０６の垂直方向の動きを防止する。
【００９７】
刀保持部１０６は、ユーザによって容易に移動可能となるように構成され、その結果、ユーザは、あまりに鈍く適切に切断できなくなる、若しくは異なる厚さの材料に適合する
ため刀保持部から伸びる刀の量を調整できなくなる時に、刀を取り替えることができる。
【００９８】
刀保持部１０６に連結し、支持することに加えて、ヘッドユニット１０２は、刀保持部１０６を支持する留め具部品１１２に連結するソレノイド（図示せず）を備える。ソレノイドは、切断するときに、刀が加える圧力の量を制御する。
【００９９】
ソレノイドはまた、切断することなしに新たな切断部分に刀を動かすことを許容するために、材料から離れて刀を持ち上げているときに、刀保持部１０６の垂直方向の動きを制御する。
【０１００】
ソレノイドによって刀に加える圧力は、図１に示すダイヤルの１つでユーザによって調整される。
【０１０１】
そのような圧力の調整は、与えられた材料を適切に切断するために要求される。例えば、一般的な紙を切断するために設定される圧力は、厚いカードの切断には適切とならない。
【０１０２】
その際には、圧力は増加されることを必要とする。逆に、もし、切断が設定しているあまりに高い圧力で試みられると、厚いカードを切断するために必要な圧力により、刀が通常の紙シートを裂くこととなる。
【０１０３】
図７は、大まかに１２０で示されるローラ組み立て部品を示し、この部品は、特定の形状やサイズの切断をする刀保持部の動きとの組み合わせで用いられる。ローラ組み立て部品１２０は、図６に示すＸ方向と実質的に垂直なＹ方向で材料を動かすため、切断される材料にかみ合うローラ１２２及び１２４の組から成る。
【０１０４】
切断されている材料は、ローラ１２２及び１２４を介して、またこれらの間で送りが与えられ、一連の切断の間、ローラ１２２及び１２４は、矢印Ｙで示されるように、材料のＹ位置を制御できる。
【０１０５】
ローラ１２２は、ドライブローラを構成し、ドライブローラ１２２に連結されるモータのシャフトと共にステッパーモータ１２６により駆動される。
【０１０６】
ドライブローラ１２２は、ローラ１２２及び切断されている材料、若しくは切断されている材料が一時的に装着されるマットとの間において、把持する動作を起こすために適用される生地を備える。
【０１０７】
偏りローラ１２４は、ドライブローラ１２２が回転するにつれて、ドライブローラ１２２と接触状態でドライブローラ１２２によって駆動される材料（そしてマット）を保持する。
【０１０８】
偏りローラ１２４は、ドライブローラ１２２と相対的に、またドライブローラ１２２側にバネ１２８及び１３０によって偏らされる。この偏っている形状は、ローラ１２２、１２４間に挿入される異なる厚さの材料を、２つのローラ１２２、１２４が受けるようにしている。
【０１０９】
ローラ１２４は、このように、取り付け具のＬ字取付金具１３２、１３４の駆動可能な動きを許容するバネ１２８、１３０で、装置に駆動可能に連結される隙間１３６、１３８を枢軸の上に置く駆動可能な取り付け具のＬ字取付金具１３２、１３４に駆動可能に装着される。
【０１１０】
切断装置のプロセッサは、プログラムされた切断を実行する作法で、切断される材料と、刀の動きを調整するためのドライブローラ１２２及びカッターヘッド１０２を制御するストッパーモータの動きを制御する。というのも、ストッパーモータの回転動作は正確に制御でき、正確な切断が実現できる。
【０１１１】
本発明の原理に従い、大まかに２００で示される刀筐体は、図８Ａ、８Ｂ、８Ｃで示される。
【０１１２】
刀筐体２００は、切断装置に相対する刀２０２を支持及び保持し、また、内部筐体２０３に相対する刀２０２の容易な工場調節の機能を提供し、また、ユーザが切断の深さを調整するよう外部筐体２０４に相対する刀２０２の容易で制御された刀調整を提供する。
【０１１３】
刀保持部２００は、切断装置のヘッド組み立て部品中に保持されて構成される。円周チャンネル２０６は、刀保持部を保持するために外部筐体２０４中に備えられる。
【０１１４】
外部筐体２０４の先端２１０は、それに関して実質的な一部分に渡って相対的に平面の底部表面２１２で定義される。
【０１１５】
平面の鼻形状端部品２１０の使用は、従来の刀保持部の一般的に局部端を覆う実質的な改善である。特に、平面の鼻形状端部品２１０は、刀が材料を介して動く間、切断されている材料を保持する。
【０１１６】
平面の鼻形状端部品２１０は、また、平面表面２１２に遷移する放射状の下端部２１４を含む。もちろん、下端２１４は、先端面取り部からも形成されることができる。
【０１１７】
底部表面部２１２は、充分な表面のエリアを有しているので、底部表面部が、既に切断された材料と引っかかったり、また、材料を持ち上げることなしに、切断されている材料上に乗り、また切断されている材料に沿って滑ることができる。
【０１１８】
さらに、刀２０２が材料を切断するにつれ、刀２０２が材料を裂くことなく材料を切断するため、底部表面２１２は刀の周りで材料を保持する。
【０１１９】
図８Ｄに示すように、それはまた、ミシン針回りの先端部にやや似ているが、同様の方法で刀２９４が平面表面２９３を介して平面の鼻形状端部２１０に伸張する平面表面２９３を形成できるように、丸端の従来の切断装置２９０の構造は、丸くされた端部２９２に比べて安定した一般的な平面の先端部２９１を用いられることができるように意図されている。
【０１２０】
このため、現在の端部の平面の鼻形状端部２１０が外部筐体２０４の内部部品になるものとして示されている一方、それはまた、装着された別々の部品となれることを意図されている。
【０１２１】
また、刀筐体２００は、刀２０２の調整が外部筐体２０４に相対することを許容する。これは、内部筐体２０３で内部に形成される刀高さ調整ノブ２１６を掴み、また回転することにより外部筐体２０４に相対する内部筐体２０３を回転することにより達成される。
【０１２２】
外部筐体２０４と内部筐体２０３との結合により、２つの間の相対的な回転量が両方向で制限される。
【０１２３】
図８Ａの示す形態においては、調整ノブ２１６は、突出の最低量から底部表面２１２を越えてその最大量まで、刀２０２を調整する（外部筐体に対してほぼ一回転できる）外部筐体に相対的に回転できる。
【０１２４】
そのような回転の調整を達成するためには、内部筐体２０３及び外部筐体２０４は、任意の相対的な回転量のため、２つの相対動作を決定しているねじのピッチで取り付けられる。例えば、四分の一回転では、おおよそ０．５ｍｍ刀を調整する。
【０１２５】
３６０度回転で４つの設定ポイントを有し、切断の刀の深さは、調整ノブ２１６の一回転で計２ｍｍ増加させることができる。もちろん、これより多少の設定ポイントが、様々な調整レベルを提供するために提供されるだろう。
【０１２６】
プランジャ２１８は、刀２０２が、ユーザが握るのに充分な程度、筐体２００の先端２１０から外れるのを強制する調整ノブ２１６から延長している。
【０１２７】
それから刀２０２は、筐体２００から引き出され、また取り除かれる。刀２００の交換は、別の刀２０２を筐体２００の中に挿入することによりなされる。その他の調整は必要ない。
【０１２８】
図８Ｂ及び図８Ｃに示すように、筐体２００は内部筐体２０３及び外部筐体２０４からなる。
【０１２９】
内部筐体は、対にする外向きのねじ山部分２２０を有し、外部筐体２０３の内部上に形成される内部ねじ山２２２と係合している。
【０１３０】
Ｏ−リング２２６は、内部筐体２０３及び外部筐体２０４の間に配置され、内部筐体の円周のチャンネル２２４内に敷かれる。Ｏ−リングは、内部筐体２０３及び外部筐体２０４の間での回転抵抗を供する。
【０１３１】
内部筐体２０３及び外部筐体２０４の間の回転の分離した設定ポイントを提供するために、スナップベアリング２２８が、複数の戻り止め、若しくは内部筐体２０３の外部表面上に形成される凹部２３０と係合するように傾けられる。スナップベアリング２２８は、複数の凹部２３０の深さより大きな半径を有する金属球体である。
【０１３２】
凹部２３０の半径は、ベアリング２２８の半径に実質的に同一である。外部のねじ山のベアリング筐体２３２は、外部筐体２０４の側面の穴２３４中のねじ山に係合して構成される。
【０１３３】
コイルバネ２３６は、スナップベアリング２２８を凹部２３０中に付勢するためにベアリング筐体２３２とスナップベアリング２２８の間に配置される。そのようにして、内部筐体を回転させるにつれ、凹部２３０が適切にベアリング２２８に位置合わせされるときには、ベアリング２２８は特定の凹部２３０中に「はめ込み」をする。
【０１３４】
そのようにして、凹部２３０と係合されるときに、ベアリング２２８が、特に選択された具体的な設定ポイントに内部筐体２０３及び外部筐体２０４の相対的な位置を保持する。このため、ベアリング２２８のかみ合わせの与えられた設定ポイントのため、刀２０２の切断の深さは凹部２３０に正確に制御される。
【０１３５】
内部筐体２０３及び外部筐体２０４の位置を視覚的に表示するため、そして、このように、刀２０２の位置、調整ノブ２１６は特定のペイント色、若しくは特定の凹部２３０の
円周方向に整列した垂直チャンネル２３７及び２３８をコーティングする他の適切な材料で、色分けされている。
【０１３６】
その他、他の表示器は、内部筐体及び外部筐体の間の相対位置の表示を提供する調整ノブ上で提供される。
【０１３７】
外部筐体２０４の上部分２４０は、それに関しては外側上に位置合わせマーク２４２と共に提供される。
【０１３８】
特定の色が付されたチャンネル２３７にマーク２４２を位置合わせすることにより、外部筐体２０４の端２１０から伸びる刀２０２の量は、正確に設定される。
【０１３９】
代わりに、垂直に正しい位置に置かれるチャンネルを構成している垂直マーカー２４３は上部部分２４０に形成される。再び、垂直マーカー２４３は、凹部２３０の一つに位置合わせされる。
【０１４０】
さらに、数字が、位置合わせマーカー２４２が配置される調整ノブの上げられる位置上に印刷され、若しくは形成される。
【０１４１】
刀２０２は、その先端及び円錐形形状の隣接した端部２４６に、鋭い切断端２４４で供給される。刀の本体２４８は、安定し制御され、しかし内部筐体２０３に相対的に刀２０２の自由な回転を実現する円筒形状である。
【０１４２】
切断端２４４は、先導端２５０及び後縁部２５２を提供するために先細りされている。そのため、刀２０２は、筐体２０３内で一方が自由に回転できるようになっている接合部とでき、また、切断の方向に応じて先導端２５０で自身を正しい位置に置く。刀２０２は、磁力的な刀止め２５４によって供給される磁力によって内部筐体２０３に取り外し可能に連結される。
【０１４３】
刀止め２５４は、磁力によって刀２０２を保持する一方、刀２０２の自由な回転を許可するため刀２０２の円錐端２４６にかみ合わせるベアリング表面を提供する。
【０１４４】
刀２０２の本体２４８の長手方向の軸は、筐体２０３の先端に隣接して配置される刀ベアリング２５８で筐体２０３の長手方向の軸に直線状、及び同心円状に位置を合わせる。
【０１４５】
筐体２０３から刀２０２を切り離すために、プランジャ２１８が供給される。プランジャ２１８は、筐体２０３に対して長手方向に移動可能であり、コイルバネ２６０で筐体２０３の隣接端部の方に偏っている。プランジャ２１８の先端部２６２は、磁石の刀止め２５４に隣接する。
【０１４６】
このため、筐体２０３に相対する先端部２６２の位置は、筐体２０３に相対する刀２０２の位置を決定し、そして、外部筐体２０４に相対する筐体２０３の長手方向の位置は、平面の鼻形状の端部２１０の表面２１２から伸びている刀２０２の先端２４４の長さを決定する。
【０１４７】
筐体２０３に相対する刀端部２４４の位置が適切に工場で設定されることを確信するために、工場の許容誤差のため部品寸法にばらつきが合って、与えられる設定ポイントの端部２１２に対する刀端２４４位置にばらつきが見られるという事実を考えると、工場の調整用の部材２６２が提供される。
【０１４８】
部材２６２は、筐体２０３の内部表面２６６上でねじでかみ合う外向きのねじ山部２６４を提供する。部材の上部部分２６６は、同様のサイズを有するソケットと回転可能となるため連結ヘッドを提供する。
【０１４９】
部材は、そこに、プランジャ２１８が相対的に摺動するようにするためプランジャ２１８の周囲にスリーブを形成する。
【０１５０】
部材２６２を筐体２０３中に装着することにより、部材２６２の長手方向の穴の内径２７０よりも広いプランジャ２１８の先端部２６２は、部材２６２が装着された筐体２０３中にその距離と等しい距離で筐体２０３の上部端中に押し込まれる。そのように、工場においては、部材２６２は、刀端２４４が筐体２０４の表面２１２と同一平面になるまで、筐体２０３内に装着されることができる。
【０１５１】
設定されるねじ２６５は、それから、筐体２０３に対する部材２６２の設定位置を保持するノブ２１６を介して筐体２０３の側面に装着されることができる。このため、各刀２０２は筐体２０３及び２０４に適切に長手方向に配置されることができ、その結果、ノブ２１６の回転による調整により、各刀筐体２００の刀の同じ位置ずれが生じる。
【０１５２】
図８Ｃに示すように、筐体２０３は、２つの異なる直径を有する内部の穴の径２７２を含む。
【０１５３】
上部の大きな直径部及び下部の小さな直径部の間のインタフェースは、筐体２０３に相対する調整メンバ２６２の最大挿入部である、調整メンバ２６２に係合する隣接部となる。調整メンバ２６２とインタフェースとの間の小さな隙間が図示される。
【０１５４】
刀保持部２００は図８Ｃに示すように充分に組み立ったときには、第一内部筐体２０３及び第二外部筐体２０４の相対的な調整は、両方向で制限され、調整位置の数の制限が提供される。
【０１５５】
本実施の形態においては、第一筐体２０３及び第二筐体２０４の間の相対的な動きの１つの充分な回転の制限の結果として、「留め金」位置の数は、４つに制限される。
【０１５６】
もちろん、より多くの「留め金」位置は、内部筐体内において戻り止めの数を増やすことによって供され得る。
【０１５７】
第一筐体２０３及び第二筐体２０４が近くの係合で回転されるにつれて、回転は筐体２０４の内部表面２８０に隣接する円周の隆起した部分２７８（図８Ｂ参照）の底部表面によって止められる。
【０１５８】
反対方向においては、第一筐体２０３及び第二筐体２０４がお互いに離れて回転するにつれ、ボール筐体２３２は、筐体２０４の側面壁を介して延長し、また隣接部を供するため突き出る。そのようにして、突起部分２７８の上部表面部２８２は、第一筐体２０３及び第二筐体２０４の更なる相対的な回転を防止するボール筐体２３２に隣接する。
【０１５９】
図１，２，４に示す切断装置の操作は単純である。図１４は、大まかに６００で示される、本発明に係る電気切断装置の操作方法の概略図である。
【０１６０】
切断装置は電気装置であるため、６０２に示すように、ユーザ電源コードが差される。６０４で示すように、オンボタン２２を押すことによって、装置の電源が入れられ、ドア２４及び２６が開く。
【０１６１】
６０６で示すように、ユーザは表示部の淵と、マットレストを開く必要がある。６０８に示すように、特定のカートリッジ５０及びキーボードオーバーレイ４９が選択される。
【０１６２】
６１０に示すように、カートリッジ５０はソケット５２に挿入され、６１２に示すように、対応するキーボードオーバーレイはキーボード４０上に配置される。
【０１６３】
オーバーレイ４９は、対応するカートリッジ５０に含まれる特定のコンテンツ、文字の形状、画像セットを示している。ユーザは、６１４に示すように、切断マットを選択し、６１６に示すように、それから切断マット上に紙シートを置く。
【０１６４】
図９に示すように、切断マット３００は、紙、若しくは切断装置１０で切断されるシート形状の他の材料を保持するために用いられる。マット３００は、６インチ幅、１２インチ長の紙シートを保持する構成である。
【０１６５】
マット３００のグリッド表面部３０２は、切断されている間、紙を保持することができる取り外し可能な粘着性のある層３０７で表面を覆われるが、紙がマットから取り除かれることを許容するために、その紙に永久に接着するものではない。
【０１６６】
グリッド表面部３０２のグリッド線は、その上に、紙シートの位置のための位置合わせ用形状を供する。
【０１６７】
切断される紙が適用される箇所に、粘着性のあるマットの部分をコーティングするのみなので、マットが切断装置によって動かされるにつれて、マットからの粘着性がマットから切断ローラの構成材に転移されない。本質的には、マット３００は、粘着性が、その効果的な接着能力を失う前に、様々な使用をする「粘着性のある」表面部を含む。
【０１６８】
マット３００の上部右ハンドコーナ３０４には、刀位置合わせ表示マーク３０６がある。それに接着される６×１２インチの紙シートと共にマット３００は、切断装置１０に流れ込まれる。
【０１６９】
再度図１４を参照すると、６１８に示すように、紙シートを典型的なプリンタに挿入するように、マットは、抵抗にぶつかるまで装置のローラ間に挿入される。
【０１７０】
６２０に示すように、オーバーレイ４９上の「ロードペーパー」ボタンが押され、マットは自動的に装置に流しこまれ、刀はマットの上部右ハンドコーナ３０４に動く。
【０１７１】
このように、装置は自動的に、１つのボタンを押すことによって切断される紙を運び、また刀を開始ポイントに動かし、切断される紙を搭載することを可能にする。そのようにして、装置は正確に、切断される紙に相対的な場所を認識する。ここで議論すると、矢印ボタンが、また、必要ならば刀の位置を調整するために選択される。
【０１７２】
６２２に示すように、切断される文字や形状は、キーボード４０上でそれらをタイプすることにより選択される。キャラクタ及び／若しくは形状は、ＬＣＤ表示部３５に表示される。
【０１７３】
６２４に示すように、ひとたび要求されるキャラクタ及び／若しくは形状が６２２で選択されると、ユーザは切断する画像の要求サイズをダイヤルする。
【０１７４】
それからユーザは、６２６に示すように、「カット」ボタンを押し、切断装置は切断さ
れる画像の切断を開始する。切断過程が完成したときに、刀筐体は開始位置に戻り、６２８に示すように、ユーザはアンロードボタンを押し、装置は切断マットを外に押し出す。それから、６３０に示すように、切断される画像は、切断マットから取り除かれる。
【０１７５】
キーボードオーバーレイ上に印刷されたキャラクタを調整するために、上述したように、切断される画像を特注生産できるように特定の機能が提供される。
【０１７６】
「シフト」ボタンは上部キャラクタキー（図４で灰色で示されている）（例えば、上記の特定の文字の場合）を選択するために使用され、一方、「Ｃａｐｓ」ボタンは対応するキーが押下されるときに、全ての上記灰色のキャラクタを選択するキーボードをロックする。
【０１７７】
典型的なコンピュータのキーボードに似て、「バックスペース」は最後に入力された選択を取り除き、「スペース」はキャラクタ間にスペースを挿入する。
【０１７８】
「クリアディスプレイ」キーはＬＣＤ表示部をクリアにし、「リセットオール」キーは、キー１５２から選択されたキャラクタ形状を含んでいるどんな以前の選択をも消去にするため装置をリセットする。
【０１７９】
仮に同じ形状若しくは選択された形状の複数の切断が繰り返されることを望むなら、「レポートラスト」キーが選択される。また、紙のサイズが、もし６×１２インチシートを使用していないなら調整される。
【０１８０】
上述のように、ユーザは、容易に適切なダイヤルで要求するサイズをダイヤルすることにより切断するキャラクタのサイズを調整できる。
【０１８１】
特定のフォントに一致した文字のサイズを保持するために、与えられるフォント設定に含まれる最も大きくなる可能性のあるキャラクタの比率に応じて、サイズが自動的に調整される。
【０１８２】
もしあるものがサイズのこの比例の拡大縮小から外れることを要求する場合には、「Real Dial Sizing」キーで、選択されたサイズと等しい特定のキャラクタのサイズとなるように選択できる。
【０１８３】
例えば、もし文字「ａ」が切断されると選択されるなら、選択されている「Real Dial Sizing」を使用しないなら、文字「ａ」（小文字）が「Ａ」（大文字）のフォントサイズに適合して比例的に大きくなる。もし、「Real Dial Sizing」が選択されるならば、文字「ａ」は文字「Ａ」と同じサイズで切断される。
【０１８４】
要求されるキャラクタ及び画像の全てが選択されるときには、ユーザは「カット」ボタンを押し、切断装置１０はその形状で切断する。
【０１８５】
形状ボタン５２により、各設定のカスタム形状が可能になる。そのような形状は、拡張及び多用途性の様々な要素を追加した各特定のカートリッジで変更できる。選択される与えられた形状で、ユーザは、要求されたキャラクタ若しくは形状が適用される画像を選択した後に、その要求された形状ボタンを押すのみが必要である。このため、そのキャラクタは、要求される形状に対応するオーバーレイ上のボタンを押すことによって特定のオーバーレイ上に示されるものとして調整される。
【０１８６】
与えられるカートリッジの特定のフォントやキャラクタ、形状及び／若しくは画像セッ
トを保持するために要求されるメモリを減らし、このため各カートリッジのコストを削減するために、画像やフォントはアルゴリズムとして記憶される。
【０１８７】
そのようにして、各キャラクタ、画像若しくは形状の単一のアルゴリズムで蓄積することによって、拡大縮小はそのキャラクタ、形状若しくは画像を示す特定のアルゴリズムに乗算因子を適用する単純なこととなる。そのようにして、カートリッジで各サイズでの別々の画像を蓄積する必要がなくなる。
【０１８８】
このため、追加した形状のキャラクタのサイズを調整する能力は、その形状／キャラクタの結合のためのアルゴリズムの単純な拡大縮小であり、また、それに追加される（例えば、輪郭を描くこと、陰影付け、アンダーライン付け、等）異なる形状の各形状／キャラクタの結合の記録を要求しない。
【０１８９】
このようにして、本発明に係るカートリッジに蓄積されたフォント、キャラクタ及び画像は、特定のシーケンスで、一連の直線及び／もしくは曲線を示すアルゴリズムにより解像度に依存しない。より高解像度の画像においては、より多くの個別の線や曲線セグメントが含まれる。
【０１９０】
カットボタンを囲む刀調整の矢印キーは、ユーザがマット上のどの要求する位置にも刀を動かすようにしている。
【０１９１】
そのような刀調整は、たびたび切断装置が与えられた紙シート上の要求する位置で画像を切断するようにするために必要となる。
【０１９２】
しかしながら、切断装置は、その能力において、もし特定の選択されたキャラクタやサイズが選択された紙のサイズに適合することを認識しているのみでなく、特定の紙から何が切断され、切断されている新たな選択された形状は、残り紙に適合するか否かも認識でき、とても洗練されている。
【０１９３】
例えば、ユーザがマットに装着された紙シートから第一画像を切断するときには、ユーザはアンロードペーパーキーを押し、切断された形状を取り除くことができる。
【０１９４】
それから、ロードラストキー１６８を押すことにより、残り紙との追加的な切断のため、マットは切断装置に再充填されることができる。
【０１９５】
このように、ユーザは、ロードラストキー１６８を押し、切断する新たな形状を選択し、カットボタンを押す。リセットされるまで、切断装置は以前に切断した形状や、マット上でのそれらの位置をメモリ部に蓄積する。
【０１９６】
ユーザは切断される新たなキャラクタや形状を選択し、ロードラストキー１６８を押すとき、切断装置は自動的に次の形状の切断のため、まだ切断していない紙の領域にカッターヘッドを動かす。
【０１９７】
さらに、切断装置は、特定の選択されたサイズの切断される特定のキャラクタや形状が、残り紙に適合するかを認識する。
【０１９８】
ユーザに選択されたキャラクタや形状が残り紙からの切断ではあまりに大きすぎるならば、切断装置は、ユーザに例えばビープや画像が大きすぎるという切断装置の表示部上でメッセージという視覚及び／若しくは警告音によって警告する。
【０１９９】
ユーザは、それから、要求されるサイズの切断に適合するため、マット上の紙に適し、若しくは置き換えてキャラクタを小型化するオプションを有している。
【０２００】
図１５に示すように、本発明に係る切断装置は、特定の選択されたキャラクタ、画像若しくは一連のキャラクタ、及び画像が、切断される紙、若しくは切断が既に実行された残り紙に適合するか否かを決定できる。
【０２０１】
図１５に示すように、６５０においては、選択された切断が適合するか否かを決定する方法を示している。初めに、切断装置は、６５２に示すように、ユーザからロード紙の挿入を受け付け、その後、紙が切断装置中に搭載される。次に、６５４に示すように、ユーザは切断する紙のサイズを入力し、装置はこの情報を受け取る。
【０２０２】
また、紙のサイズは、例えば６×１２インチの既定サイズとなる。６５６に示すように、それからユーザが上述したユーザインタフェースキーボードを用いて切断されるキャラクタ、画像、若しくは他の形状を入力し、切断装置は受け取る。
【０２０３】
６５８に示すように、ユーザは、それから、切断される画像（複数）のサイズを選択し、装置は受け取る。６６０に示すように、切断装置は、それから、紙、若しくは残り紙のサイズに相対する選択されたキャラクタ（複数）、形状（複数）若しくはサイズ（複数）を計算する。
【０２０４】
６６２に示すように、ユーザがカットボタンを押すと、切断装置は選択された切断が紙に適合するか否かを決定する。
【０２０５】
もしそうでないなら、６６４に示すように、切断装置はエラーメッセージを表示、及び／若しくは警告を鳴らし、６５８に示すように、選択されたキャラクタや画像の受付可能なサイズを受け付けるために待機する。もし、選択された画像のサイズが紙、若しくは残り紙に適合するならば、６６５に示すように、切断装置は画像を切断する。
【０２０６】
それから、６６８に示すように、切断装置は、切断した画像（複数）の切断情報を蓄積する。
【０２０７】
ユーザが“アンロードペーパー”ボタンを押して切断マットを取り除いた後に、切断マットから切断画像（複数）を取り除き、ユーザはマット上の残り紙に切断用マットを、装置の中に再挿入することができる。
【０２０８】
ひとたび挿入されると、６７０に示すように、もしユーザが「ロードラスト」ボタンを押すなら、切断装置はユーザが同じ紙シートを再び切断しようとしている、及び切断される次のキャラクタ若しくは画像のセットが紙に適合しているか否かを計算するための蓄積された切断情報を使用しようとしているかを認識できる。この特徴により、また、ユーザがページを搭載し、刀が以前の切断が終了した場所に自動的に戻ることが可能となる。
【０２０９】
これは、ユーザが切断を取り除くためにマットを搭載しない、また、ページの残りを切断することを終了するためにマットを戻すときに有効である。
【０２１０】
もし、「ロードラスト」ボタンが押されないならば、６７２に示すように、切断装置は自身でリセットし、その結果新たな紙が使用される。
【０２１１】
図１０は、本発明にかかる原理に応じる、４００で示される、切断装置の組立図を分解図で詳細に示したものである。
【０２１２】
切断装置４００は、切断装置４００の様々な部品が装着される主筐体４０２を備えている。右端キャップ組み立て部４０４及び左端キャップ組み立て部４０６は、切断装置４００の側面を固定するために凹形状のハンドルとなると共に、筐体４０２の美しいカバーとなる。
【０２１３】
筐体４０２の左側４０８の連結は、モータマウント４１２でそこに装着されるステッパーモータ４１０である。モータ４１０は、刀筐体４１６に相対するマット（図示せず）を動かすドライブローラ４１４を駆動する。
【０２１４】
組み立てられた時には、ドライブローラ４１４はベースメンバ４２０のチャンネル４１８内に配置され、そのため、ローラ４１４の頂点部がマットの底部表面と係合するため、ベースメンバ４２０の頂点表面４２２上に延長している。
【０２１５】
筐体４０２の右側４２４に相対してマウントされている第二ストッパーモータ４２３は、切断組み立て部品４２６を駆動する。組み立てられたときには、刀保持部４１６はドライブローラ４１４に隣接して配置され、切断するときにそこに並行で動く。
【０２１６】
サーキットボード４２８は、筐体４０２の底部内に連結され備えられる。サーキットボード４２８は、ステッピングモータ、カートリッジ４３５との通信、ユーザインタフェース４３４との通信、ＬＣＤ表示部４３６の制御、ファームウェアアップグレードのために外部コンピュータとの通信、カートリッジコンテンツのダウンロード等の作動を制御するための少なくとも一つのプロセッサ４３０及びメモリ４３２を備える。
【０２１７】
切断装置４００のプロセッサ４３０は、１２８Ｋｂのメモリを有するＡｔｍｅｌ  Ｍｅｇａ  １２８チップとなるかもしれない。
【０２１８】
カートリッジ４３５は、例えばＡｔｍｅｌ Ｍｅｇａ ８ ｃｈｉｐ、４ＭＢ若しくは８
ＭＢのメモリチップに合う自身のプロセッサを含んでいる。もちろん、当業者に知られているプロセッサやメモリの他のサイズやスピード、タイプが本発明に応じて適用される。
【０２１９】
ユーザインタフェース４３４は、キーボード組み立て部４３７及びカッター制御ボタン４３８を含んでいる。キーボードの組み立て部は、複数の片面のキー４４２を含むキーパッド４４０を含む。
【０２２０】
切断制御ボタン４３８は、複数のボタン４４４を備える。キーパッド及びボタン４４４は両方プロセッサ４３０と通信するサーキットボード４４６に接続する。
【０２２１】
フェースプレート４４８は、キーパッド４４０やボタンを受付け、支持及び保持するために形成される複数の凹部を有している。
【０２２２】
キーパッドのキー４４２は、充分に高く、フェースプレートの凹部を介して突き出て、オーバーレイ４５０の背部に受け入れられる。
【０２２３】
図１１Ａ及び図１１Ｂに示すように、オーバーレイ４５０は、ユーザによって押し下げられる、その正面側４５４上に複数の突出部を有している。
【０２２４】
裏面側４５６では、オーバーレイ４５０はキーパッド４４０の個別キー４４２を受け付けるために形成された複数の対応する凹部４５８を有している。
【０２２５】
オーバーレイは、鋳型により、ユーザがオーバーレイを引き下げることを許容する柔軟性があり弾力性のあるゴムのような材料から形成され、このためオーバーレイの下のボタンを押せる。このため、ユーザが特定の突起物４５２を押すときに、その突起の下の対応するキーが押される。
【０２２６】
キーと凹部４５８の係合は、キー４４２の上に置かれる時、キーがいつも適切にオーバーレイと位置合わせされるように、キーとこのようなキーパッドとの相対する位置にオーバーレイ４５０を保持する。
【０２２７】
図１２に示すように、本発明に係るカートリッジ５００は、プロセッサ５１２及びメモリ５１４を含むサーキットボード５０６を備える２つの筐体成分５０２及び５０４から成る。
【０２２８】
プロセッサ５１２は、サーキットボード端子若しくは接点５１６を介して切断装置と通信する。メモリ５１４は、特定のカートリッジ５００に含まれる画像若しくはキャラクタを構成するアルゴリズムの形態で、様々なデータを蓄積する。プロセッサ５１２は、カートリッジに蓄積されたデータの切断装置への移動を許容するために、切断装置のプロセッサと通信する。
【０２２９】
そのようにして、典型的な構成では、カートリッジに含まれるデータは調整されることができなく、新たなカートリッジが新たなフォント及び／若しくは画像セットに使用される。
【０２３０】
切断装置のポート（例えばＵＳＢポート）を介して、切断装置は、ある環境で、新たな画像や、フォント、ファームウェアをカートリッジ及び／若しくは切断装置にアップロードすることができる。
【０２３１】
筐体は、組み立てられる時に、切断装置のソケットに適合する大きさ及び形状でソケット挿入部分５０８を形成し、その結果、コンタクト５１６は、切断装置と通信するためカッターソケットと係合する。
【０２３２】
図１３は、本発明に係る切断装置５５０の背面図を示す。
【０２３３】
切断装置５５０は、切断装置５５０の外部の輪郭と実質的に適合する運搬用ハンドル５５２を備える。
【０２３４】
切断装置の外部５５４は、その中にハンドル５５２を受け取るために構成される凹部５５６を有する。ハンドル５５２は、ソフトグリップの保持部分５５８を備える。握られ持ち上げられる時に、ハンドル５５２はユーザが切断装置５５０を運ぶために表面５５４に相対するように上側に回転する。
【０２３５】
さらに、切断装置５５０の裏面表面５６０は、切断の過程の間、マットが開口部を介して突き出すようにするための細長い開口部５６２を備える。
【０２３６】
また、切断装置５５０を外部コンピュータに装着するためのＵＳＢポート、電源コードに接続するために電源アダプタポート５６４を備える。
【０２３７】
しかしながら、上述したように、切断装置５５０は、加えて装着される外部コンピュータの使用なしに充分に操作されることができる。
【０２３８】
そのため、接続部５６６は、全ての切断装置５５０のファームウェアに提供され、アップデートされるだけではなく、切断装置５５０と通信して、カートリッジに蓄積されたコンテンツを切断装置５５０を介してアップデートできる。
【０２３９】
本発明に係る切断装置は全てを自身で保持する独立型の装置として述べられているが、当業者は、様々な部品、過程、及びここで教えられまた述べられる手法が、従来より知られている、現存の切断装置に適用できることを理解できるだろう。
【０２４０】
加えて、さらに、切断装置は分離型カートリッジの使用なしに構成されることが意図され、そのために、全ての画像、形状及びキャラクタは固定型メモリに蓄積され、そのコンテンツは、パソコンへの接続でアップデートされる。
【０２４１】
さらに、本発明に係るカートリッジが特定のユニークな構成を持つものとして示されているが、もし置換可能型メモリモジュールが望まれるならば、例えば従来知られているフラッシュメモリカードの使用等、知られた構成のメモリ蓄積装置は、その中での使用のため適合されることができる。
【０２４２】
本発明に係る図１６に示す切断装置７００は、ユーザが切断される画像や、キャラクタ及び／若しくは形状をカスタマイズできる幅広い能力を有している。例えば、各カートリッジ７０２と、それに関連するオーバーレイ７０４は特注の効果を出す特徴ボタンを有する。これらの特徴は、拡張や多用途性の強い要素を加える各特定のカートリッジによって異なる。
【０２４３】
加えて、カットボタン７０６を囲む矢印のボタンは、刀を要求される位置に導くために使用されることができる。これは紙上でのあるスポットを切断することが必要なとき、特に捨てるのを防ぐときに、とても役立つ。
【０２４４】
切断マット７１０上に示される開始ポイント７０８から離れて動くときに、画像のサイズは切断装置が画像を切断するために縮小される必要があるかもしれない。
【０２４５】
もし残り紙のサイズが小さすぎるならば、切断装置はユーザに警告し、ユーザが切断する画像のサイズを縮小することを許容する。
【０２４６】
もし切断装置のための紙の標準のサイズ以外のサイズならば、ユーザは与えられた紙のサイズでの調整のためのサイズダイヤルや刀位置ボタンを使用することができる。
【０２４７】
「セットペーパーサイズ」ボタンを押すことにより、ユーザはカスタムの紙サイズを装置に入力でき、装置はロードされた紙の「ホーム」カット位置がどこかを認識する。
【０２４８】
装置は、「ダウン」で縦に切断し、画像の底部によって定義されるように、正面から装置を見ると紙の左端に向かった縦になっている。
【０２４９】
装置７００は、また、たとえば「パワーセーブ」等の様々なユニークな特徴を提供する。この設定では、それらの一緒に集めて選択された形状を自動的に再調整し、紙上の他の空の空間を活用する。
【０２５０】
もし通常の紙若しくはカードストック以外に切断される材料が選択されるならば、装置はそのような他の材料にカスタマイズされる。例えば、刀が材料を破ることなしに材料を介して完全に切断するために、加圧ダイヤルは切断される材料に対する刀の圧力を減少若しくは増加させるため回転される必要があるかもしれない。
【０２５１】
加えて、いくつかの紙の材料は、より遅い切断スピードを要求する。このため、スピードダイヤルは、破ることなく刀が切断できるように減少させることができる。
【０２５２】
より厚い若しくはより薄い材料のため、刀の深さは上述したように刀筐体調整ノブを回転することにより調整されることができる。
【０２５３】
装置での画像や形状のデフォルトサイズは、「相関的」である。これは、与えられたキャラクタセットの切断結果の全ては、最も大きい可能性のあるキャラクタ若しくはセットに含まれる画像（キーとなる高さのキャラクタとして参照）に比例する、ということを意味する。
【０２５４】
これは、お互いに関係する正確にサイズされる文字を保持する。しかしながら、「Real
Dial Sizing」ボタンを押すことにより、画像や文字の文字通りのサイズが選択される。このため、例えば、文字「ｃ」は文字「ｆ」より切断される時には短くされる。
【０２５５】
ここで使用される専門用語は、特定の実施例を述べる目的にのみ使われ、本発明の範囲に限定するものではない。さらに、ここでの用語“形状”の使用は、本発明の装置、装置のカートリッジ、若しくは装置に切断される他のどのような場所内に蓄積される特定の画像、フォント、若しくはキャラクタを参照する。
【０２５６】
さらに、ここでの用語“シート”の使用は、材料、例えばカラー紙、カードストック、プラスチック紙、カードボード、ホイル、従来から知られている他の材料を含む様々な厚さの紙を限定なく含み、本発明に係る装置で切断できる紙の形状のどのような材料をも参照する。
【０２５７】
ここで使用され、また請求項に付されている、単数の形“ａ，”“ａｎ，”及び“ｔｈｅ”は、文脈から明らかに決定していないときには、複数の参照をも含む。
【０２５８】
もし他に定義されていないなら、ここで使用された全ての技術や科学的用語は本発明の属する分野での当業者により共通に理解できるものと同一の意味を有する。一方、本発明に係る様々な方法、部品、材料がここで述べられているが、ここで述べるのに似ている若しくは等しいどのような方法及び材料も、本発明の原理若しくは検査で使用される。
【０２５９】
ここで示唆される全ての参照は、全ての目的のために、また、それらの全ての参照によって組み込まれる。本発明の上述の有利点は、本発明の実施の形態中で明らかにされているが、様々な変更は、これらの有利性を達成するため本発明の構成、デザイン、及び構造に使われる。
【０２６０】
このように、本発明の構成及び機能の特定の詳細のここでの参照は、例示にすぎず、限定するものではない。
【図面の簡単な説明】
【０２６１】
下記の図面は、本発明を実行するための典型的な実施例を示す。図中での同じ参照符号は、異なる視点、若しくは本発明の実施例中での同じ部分を参照する。
【図１】図１は、本発明の原理に応じ、閉状態の電気切断装置の正面遠近図である。
【図２】図２は、図１に示す電気切断装置の開状態の正面遠近図である。
【図２Ａ】図２Ａは、図２に示す底部ドアの分解された正面遠近図である。
【図２Ｂ】図２Ｂは、図２に示す上部ドアの分解された正面遠近図である。
【図３】図３は、図２に示す電気切断装置の上面図である。
【図４】図４は、本発明の原則に応じたキーボードオーバーレイの上面図である。
【図５Ａ】図５Ａは、本発明の原理に応じた“オン”スイッチの上面遠近図である。
【図５Ｂ】図５Ｂは、図５Ａに示す“オン”スイッチの分解された上面遠近図である。
【図６】図６は、本発明の原理に応じた切断組み立て部品の正面遠近図である。
【図７】図７は、本発明の原理に応じたローラ組み立て部品の正面遠近図である。
【図８Ａ】図８Ａは、本発明の原理に応じた刀保持部の側面遠近図である。
【図８Ｂ】図８Ｂは、図８Ａに示す刀保持部の分解された遠近図である。
【図８Ｃ】図８Ｃは、図８Ａに示す刀保持部の側面断面図である。
【図８Ｄ】図８Ｄは、本発明の原理に応じた刀保持部の変形例の部分的な側面断面図である。
【図９】図９は、本発明の原理に応じたマットの上面図である。
【図１０】図１０は、本発明の原理に応じた切断装置の分解された右側遠近図である。
【図１１Ａ】図１１Ａは、本発明の原理に応じたオーバーレイの正面遠近図である。
【図１１Ｂ】図１１Ｂは、図１１Ａに示すオーバーレイの底面遠近図である。
【図１２】図１２は、本発明の原理に応じたカートリッジの分解された右側遠近図である。
【図１３】図１３は、本発明の原理に応じた切断装置の裏面側面図である。
【図１４】図１４は、本発明の原理に応じた電気切断装置の操作方法の機能的なブロック図である。
【図１５】図１５は、本発明の原理に応じ、切断がシート上に適合するか否かを決定する方法の機能的なブロック図である。
【図１６】図１６は、本発明の原理に応じた開設定での電気切断装置の変形例を示す正面遠近図である。
【図１】
2009501640.tif 000003
【図２】
2009501640.tif 000004
【図２Ａ】
2009501640.tif 000005
【図２Ｂ】
2009501640.tif 000006
【図３】
2009501640.tif 000007
【図４】
2009501640.tif 000008
【図５Ａ】
2009501640.tif 000009
【図５Ｂ】
2009501640.tif 000010
【図６】
2009501640.tif 000011
【図７】
2009501640.tif 000012
【図８Ａ】
2009501640.tif 000013
【図８Ｂ】
2009501640.tif 000014
【図８Ｃ】
2009501640.tif 000015
【図８Ｄ】
2009501640.tif 000016
【図９】
2009501640.tif 000017
【図１０】
2009501640.tif 000018
【図１１Ａ】
2009501640.tif 000019
【図１１Ｂ】
2009501640.tif 000020
【図１２】
2009501640.tif 000021
【図１３】
2009501640.tif 000022
【図１４】
2009501640.tif 000023
【図１５】
2009501640.tif 000024
【図１６】
2009501640.tif 000025
【国際調査報告】
2009501640.tif 000026